(57)【特許請求の範囲】
【請求項１】
交差点で対向する流入路のうちの一の流入路に対して時差現示を行うことができる交通信号制御装置において、
前記流入路の交通情報に基づいて時差現示を行うか否かを判定する時差現示判定手段と、
前記流入路の交通情報に基づいて該流入路が混雑しているか否かを判定する混雑判定手段と、
前記交差点へ向かって走行する車両が所定の危険ゾーンに存在するか否かの判定結果に応じて信号灯器の灯色を切り替えるジレンマ感応制御を行うジレンマ感応制御手段と
を備え、
該ジレンマ感応制御手段は、
前記混雑判定手段で流入路の少なくともいずれか一方向が混雑していないと判定した場合に、前記時差現示判定手段で時差現示を行わないと判定したときは、混雑していない方向の流入路を走行する車両に対してジレンマ感応制御を行い、
前記時差現示判定手段で時差現示を行うと判定したときは、時差現示を行う方向の対向方向の流入路を走行する車両に対してジレンマ感応制御を行う
ように構成してあることを特徴とする交通信号制御装置。
【請求項２】
交差点で対向する流入路のうちの一の流入路に対して時差現示を行うことができる交通信号制御装置において、
前記流入路の交通情報に基づいて時差現示を行うか否かを判定する時差現示判定手段と、
前記流入路の交通情報に基づいて該流入路が混雑しているか否かを判定する混雑判定手段と、
前記交差点へ向かって走行する車両が所定の危険ゾーンに存在するか否かの判定結果に応じて信号灯器の灯色を切り替えるジレンマ感応制御を行うジレンマ感応制御手段と
を備え、
前記ジレンマ感応制御手段は、
前記混雑判定手段で流入路の両方向が混雑していないと判定した場合に、前記時差現示判定手段で時差現示を行わないと判定したときは、前記両方向へ走行する車両に対してジレンマ感応制御を行い、
前記混雑判定手段で流入路のいずれか一方向が混雑していないと判定した場合、前記時差現示判定手段で時差現示を行うと判定したときは、時差現示を行う方向の対向方向の流入路を走行する車両に対してジレンマ感応制御を行う
ように構成してあることを特徴とする交通信号制御装置。
【請求項３】
前記ジレンマ感応制御手段は、
前記時差現示判定手段で時差現示を行うと判定した場合に、時差現示を行う方向の対向方向の信号灯器の青信号の表示時間を短縮する範囲で青信号を切り替えるようにしてあることを特徴とする請求項１又は請求項２に記載の交通信号制御装置。
【請求項４】
前記ジレンマ感応制御手段は、
前記時差現示判定手段で時差現示を行うと判定した場合に、時差現示を行う方向の信号灯器の青信号の表示時間が所定値以上になるように、時差現示を行う方向の対向方向の信号灯器の青信号を切り替えるようにしてあることを特徴とする請求項１又は請求項２に記載の交通信号制御装置。
【請求項５】
交差点で対向する流入路のうちの一の流入路に対して時差現示を行うことができる交通信号制御装置において、
前記流入路の交通情報に基づいて前記対向する流入路のうち一方向の流入路のすべての車両の進行を停止させる時差現示を行うか否かを判定する時差現示判定手段と、
前記流入路の交通情報に基づいて前記対向する流入路それぞれが混雑しているか否かを判定する混雑判定手段と、
前記交差点へ向かって走行する車両が所定の危険ゾーンに存在するか否かの判定結果に応じて信号灯器の灯色を切り替えるジレンマ感応制御を行うジレンマ感応制御手段と
を備え、
該ジレンマ感応制御手段は、
前記時差現示判定手段で時差現示を行わないと判定した場合に、前記混雑判定手段で前記対向する流入路の両方向が混雑していないときは、前記両方向へ走行する車両に対してジレンマ感応制御を行うように構成してあることを特徴とする交通信号制御装置。
【請求項６】
前記ジレンマ感応制御手段は、
前記混雑判定手段で流入路のいずれか一方向が混雑していないと判定した場合に、前記時差現示判定手段で時差現示を行うと判定したときは、ジレンマ感応制御を行わないように構成してあることを特徴とする請求項５に記載の交通信号制御装置。
【請求項７】
前記ジレンマ感応制御手段は、
前記混雑判定手段で流入路のいずれか一方向が混雑していないと判定した場合に、前記時差現示判定手段で時差現示を行わないと判定したときは、ジレンマ感応制御を行わないように構成してあることを特徴とする請求項２、請求項５又は請求項６のいずれか１項に記載の交通信号制御装置。
【請求項８】
前記ジレンマ感応制御手段は、
前記混雑判定手段で流入路の両方向が混雑していると判定した場合、ジレンマ感応制御を行わないように構成してあることを特徴とする請求項１、請求項２、請求項５乃至請求項７のいずれか１項に記載の交通信号制御装置。
【請求項９】
交差点で対向する流入路のうちの一の流入路に対して時差現示を行うことができる交通信号制御装置による交通信号制御方法において、
前記流入路の交通情報に基づいて時差現示を行うか否かを時差現示判定手段が判定するステップと、
前記流入路の交通情報に基づいて該流入路が混雑しているか否かを混雑判定手段が判定するステップと、
前記交差点へ向かって走行する車両が所定の危険ゾーンに存在するか否かの判定結果に応じて信号灯器の灯色を切り替えるジレンマ感応制御をジレンマ感応制御手段が行うステップと
を含み、
該ジレンマ感応制御手段が行うステップは、
前記流入路の少なくともいずれか一方向が混雑していないと判定した場合に、時差現示を行わないと判定したときは、混雑していない方向の流入路を走行する車両に対してジレンマ感応制御を行い、
時差現示を行うと判定したときは、時差現示を行う方向の対向方向の流入路を走行する車両に対してジレンマ感応制御を行うことを特徴とする交通信号制御方法。
【請求項１０】
交差点で対向する流入路のうちの一の流入路に対して時差現示を行うことができる交通信号制御装置による交通信号制御方法において、
前記流入路の交通情報に基づいて時差現示を行うか否かを時差現示判定手段が判定するステップと、
前記流入路の交通情報に基づいて該流入路が混雑しているか否かを混雑判定手段が判定するステップと、
前記交差点へ向かって走行する車両が所定の危険ゾーンに存在するか否かの判定結果に応じて信号灯器の灯色を切り替えるジレンマ感応制御をジレンマ感応制御手段が行うステップと
を含み、
該ジレンマ感応制御手段が行うステップは、
前記流入路の両方向が混雑していないと判定した場合に、時差現示を行わないと判定したときは、前記両方向へ走行する車両に対してジレンマ感応制御を行い、
前記流入路のいずれか一方向が混雑していないと判定した場合、時差現示を行うと判定したときは、時差現示を行う方向の対向方向の流入路を走行する車両に対してジレンマ感応制御を行うことを特徴とする交通信号制御方法。
【請求項１１】
交差点で対向する流入路のうちの一の流入路に対して時差現示を行うことができる交通信号制御装置による交通信号制御方法において、
前記流入路の交通情報に基づいて前記対向する流入路のうち一方向の流入路のすべての車両の進行を停止させる時差現示を行うか否かを時差現示判定手段が判定するステップと、
前記流入路の交通情報に基づいて前記対向する流入路それぞれが混雑しているか否かを混雑判定手段が判定するステップと、
前記交差点へ向かって走行する車両が所定の危険ゾーンに存在するか否かの判定結果に応じて信号灯器の灯色を切り替えるジレンマ感応制御をジレンマ感応制御手段が行うステップと
を含み、
該ジレンマ感応制御手段が行うステップは、
時差現示を行わないと判定した場合に、前記対向する流入路の両方向が混雑していないときは、前記両方向へ走行する車両に対してジレンマ感応制御を行うことを特徴とする交通信号制御方法。
【発明の詳細な説明】
【技術分野】
【０００１】
本発明は、交差点での渋滞緩和を図る交通信号制御装置及び交通信号制御方法に関する。
【背景技術】
【０００２】
交差点での渋滞改善を目的として、方向や利用車線、通行権などで区分される車両や歩行者の動線（ムーブメント）を、各々のムーブメントに割り当てられた信号灯器（矢印灯器）を利用して、対向する流入路（交差点に流入する道路）の信号灯器の灯色毎の時間を独立に制御するムーブメント制御（可変フェーズ制御、可変現示制御ともいう）が検討されている。ムーブメント制御を行うことで、例えば対向する流入路に交通需要の偏りがある場合では、需要が多い方の流入路（優先方向ともいう）に対して時差現示（例えば、需要が多い方向の信号灯器の灯色を青にし、需要が少ない方向の信号灯器の灯色をすべて赤にする現示）を表示することで渋滞の改善が期待できる。
【０００３】
ムーブメント制御の交通信号制御機の例として、複数のステップカウンタを備え、対向する流入路（例えば、上り下り）の信号制御を独立に行って、交差点の流入路ごとの交通状況に応じてリアルタイムな信号制御を可能とした交通信号制御機が開示されている（特許文献１参照）。
【０００４】
一方で渋滞緩和とは別に、交差点付近での交通事故の件数が多いことに鑑み、交差点に向かって走行する車両の安全性を高めるためのジレンマ感応制御を行うことができる交通システムも検討されている。例えば、交差点に向かって走行する車両の速度を検出し、当該車両の交差点への到達時間を算出し、車両が黄色現示時間終了時に交差点を走行する事態になるか否かを判定し、当該事態になると判定した場合には、青信号の現示時間を短縮または延長する交通信号制御方法が開示されている（特許文献２参照）。
【先行技術文献】
【特許文献】
【０００５】
【特許文献１】特開２００６−２６８５４７号公報
【特許文献２】特開平０４−１６３７００号公報
【発明の概要】
【発明が解決しようとする課題】
【０００６】
従来、ムーブメント制御だけを実施する装置、あるいはジレンマ感応制御だけを実施する装置は存在していたものの、両者を実施することができる装置は存在していなかった。これは、ムーブメント制御は主に渋滞緩和を目的とするのに対し、ジレンマ感応制御は安全性向上を目的とする点で相違するので、両者で競合動作をする場合の信号制御が困難であったからである。例えば、ムーブメント制御とジレンマ感応制御とを任意の交差点で行う場合、ジレンマ感応制御は、交差点へ流入する流入路毎に行うが、ジレンマ感応制御を自由に実施したときには、ムーブメント制御で時差現示を行って青信号の表示時間を長くしようとした際にジレンマ感応制御により当該青信号を短くするという、相反する動作が生じる場合がある。
【０００７】
本発明は、斯かる事情に鑑みてなされたものであり、渋滞緩和と安全性向上の両者を実現することができる交通信号制御装置及び交通信号制御方法を提供することを目的とする。
【課題を解決するための手段】
【０００８】
第１発明に係る交通信号制御装置は、交差点で対向する流入路のうちの一の流入路に対して時差現示を行うことができる交通信号制御装置において、前記流入路の交通情報に基づいて時差現示を行うか否かを判定する時差現示判定手段と、前記流入路の交通情報に基づいて該流入路が混雑しているか否かを判定する混雑判定手段と、前記交差点へ向かって走行する車両が所定の危険ゾーンに存在するか否かの判定結果に応じて信号灯器の灯色を切り替えるジレンマ感応制御を行うジレンマ感応制御手段とを備え、該ジレンマ感応制御手段は、前記混雑判定手段で流入路の少なくともいずれか一方向が混雑していないと判定した場合に、前記時差現示判定手段で時差現示を行わないと判定したときは、混雑していない方向の流入路を走行する車両に対してジレンマ感応制御を行い、前記時差現示判定手段で時差現示を行うと判定したときは、時差現示を行う方向の対向方向の流入路を走行する車両に対してジレンマ感応制御を行うように構成してあることを特徴とする。
【０００９】
第２発明に係る交通信号制御装置は、交差点で対向する流入路のうちの一の流入路に対して時差現示を行うことができる交通信号制御装置において、前記流入路の交通情報に基づいて時差現示を行うか否かを判定する時差現示判定手段と、前記流入路の交通情報に基づいて該流入路が混雑しているか否かを判定する混雑判定手段と、前記交差点へ向かって走行する車両が所定の危険ゾーンに存在するか否かの判定結果に応じて信号灯器の灯色を切り替えるジレンマ感応制御を行うジレンマ感応制御手段とを備え、前記ジレンマ感応制御手段は、前記混雑判定手段で流入路の両方向が混雑していないと判定した場合に、前記時差現示判定手段で時差現示を行わないと判定したときは、前記両方向へ走行する車両に対してジレンマ感応制御を行い、前記混雑判定手段で流入路のいずれか一方向が混雑していないと判定した場合、前記時差現示判定手段で時差現示を行うと判定したときは、時差現示を行う方向の対向方向の流入路を走行する車両に対してジレンマ感応制御を行うように構成してあることを特徴とする。
【００１０】
第３発明に係る交通信号制御装置は、第１発明又は第２発明において、前記ジレンマ感応制御手段は、前記時差現示判定手段で時差現示を行うと判定した場合に、時差現示を行う方向の対向方向の信号灯器の青信号の表示時間を短縮する範囲で青信号を切り替えるようにしてあることを特徴とする。
【００１１】
第４発明に係る交通信号制御装置は、第１発明又は第２発明において、前記ジレンマ感応制御手段は、前記時差現示判定手段で時差現示を行うと判定した場合に、時差現示を行う方向の信号灯器の青信号の表示時間が所定値以上になるように、時差現示を行う方向の対向方向の信号灯器の青信号を切り替えるようにしてあることを特徴とする。
【００１２】
第５発明に係る交通信号制御装置は、交差点で対向する流入路のうちの一の流入路に対して時差現示を行うことができる交通信号制御装置において、前記流入路の交通情報に基づいて前記対向する流入路のうち一方向の流入路のすべての車両の進行を停止させる時差現示を行うか否かを判定する時差現示判定手段と、前記流入路の交通情報に基づいて前記対向する流入路それぞれが混雑しているか否かを判定する混雑判定手段と、前記交差点へ向かって走行する車両が所定の危険ゾーンに存在するか否かの判定結果に応じて信号灯器の灯色を切り替えるジレンマ感応制御を行うジレンマ感応制御手段とを備え、該ジレンマ感応制御手段は、前記時差現示判定手段で時差現示を行わないと判定した場合に、前記混雑判定手段で前記対向する流入路の両方向が混雑していないときは、前記両方向へ走行する車両に対してジレンマ感応制御を行うように構成してあることを特徴とする。
【００１３】
第６発明に係る交通信号制御装置は、第５発明において、前記ジレンマ感応制御手段は、前記混雑判定手段で流入路のいずれか一方向が混雑していないと判定した場合に、前記時差現示判定手段で時差現示を行うと判定したときは、ジレンマ感応制御を行わないように構成してあることを特徴とする。
【００１４】
第７発明に係る交通信号制御装置は、第２発明、第５発明又は第６発明のいずれか１つにおいて、前記ジレンマ感応制御手段は、前記混雑判定手段で流入路のいずれか一方向が混雑していないと判定した場合に、前記時差現示判定手段で時差現示を行わないと判定したときは、ジレンマ感応制御を行わないように構成してあることを特徴とする。
【００１５】
第８発明に係る交通信号制御装置は、第１発明、第２発明、第５発明乃至第７発明のいずれか１つにおいて、前記ジレンマ感応制御手段は、前記混雑判定手段で流入路の両方向が混雑していると判定した場合、ジレンマ感応制御を行わないように構成してあることを特徴とする。
【００１６】
第９発明に係る交通信号制御方法は、交差点で対向する流入路のうちの一の流入路に対して時差現示を行うことができる交通信号制御装置による交通信号制御方法において、前記流入路の交通情報に基づいて時差現示を行うか否かを時差現示判定手段が判定するステップと、前記流入路の交通情報に基づいて該流入路が混雑しているか否かを混雑判定手段が判定するステップと、前記交差点へ向かって走行する車両が所定の危険ゾーンに存在するか否かの判定結果に応じて信号灯器の灯色を切り替えるジレンマ感応制御をジレンマ感応制御手段が行うステップとを含み、該ジレンマ感応制御手段が行うステップは、前記流入路の少なくともいずれか一方向が混雑していないと判定した場合に、時差現示を行わないと判定したときは、混雑していない方向の流入路を走行する車両に対してジレンマ感応制御を行い、時差現示を行うと判定したときは、時差現示を行う方向の対向方向の流入路を走行する車両に対してジレンマ感応制御を行うことを特徴とする。
【００１７】
第１０発明に係る交通信号制御方法は、交差点で対向する流入路のうちの一の流入路に対して時差現示を行うことができる交通信号制御装置による交通信号制御方法において、前記流入路の交通情報に基づいて時差現示を行うか否かを時差現示判定手段が判定するステップと、前記流入路の交通情報に基づいて該流入路が混雑しているか否かを混雑判定手段が判定するステップと、前記交差点へ向かって走行する車両が所定の危険ゾーンに存在するか否かの判定結果に応じて信号灯器の灯色を切り替えるジレンマ感応制御をジレンマ感応制御手段が行うステップとを含み、該ジレンマ感応制御手段が行うステップは、前記流入路の両方向が混雑していないと判定した場合に、時差現示を行わないと判定したときは、前記両方向へ走行する車両に対してジレンマ感応制御を行い、前記流入路のいずれか一方向が混雑していないと判定した場合、時差現示を行うと判定したときは、時差現示を行う方向の対向方向の流入路を走行する車両に対してジレンマ感応制御を行うことを特徴とする。
【００１８】
第１１発明に係る交通信号制御方法は、交差点で対向する流入路のうちの一の流入路に対して時差現示を行うことができる交通信号制御装置による交通信号制御方法において、前記流入路の交通情報に基づいて前記対向する流入路のうち一方向の流入路のすべての車両の進行を停止させる時差現示を行うか否かを時差現示判定手段が判定するステップと、前記流入路の交通情報に基づいて前記対向する流入路それぞれが混雑しているか否かを混雑判定手段が判定するステップと、前記交差点へ向かって走行する車両が所定の危険ゾーンに存在するか否かの判定結果に応じて信号灯器の灯色を切り替えるジレンマ感応制御をジレンマ感応制御手段が行うステップとを含み、該ジレンマ感応制御手段が行うステップは、時差現示を行わないと判定した場合に、前記対向する流入路の両方向が混雑していないときは、前記両方向へ走行する車両に対してジレンマ感応制御を行うことを特徴とする。
【００１９】
第１発明及び第９発明にあっては、時差現示判定手段は、流入路（交差点に流入する道路）の交通情報に基づいて時差現示を行うか否かを判定する。すなわち、時差現示判定手段は、交差点で対向する流入路のそれぞれの方向（交差点へ流入する方向）の交通情報（例えば、交通量、渋滞長、信号待ち台数などの交通需要）に基づいて、対向する流入路のいずれかの方向に対して時差現示を行うか否かを判定する。時差現示は、例えば、交通需要の多い方向の流入路に対して行うと判定することができ、交通需要の多いＥ方向（一方向）の流入路に対して時差現示を行う場合、一方向の対向方向（交通需要の少ない方、例えば、Ｗ方向）の信号灯器の灯色をすべて赤として、Ｗ方向への車両の進行を停止させた上で、Ｅ方向（直進、左折、右折を含む）への車両を進行させる。混雑判定手段は、流入路（道路）の交通情報（例えば、交通量、渋滞長、信号待ち台数などの交通需要）に基づいて、流入路が混雑しているか否かを判定する。例えば、車両が停止状態で渋滞又は遅い速度で走行しつつ渋滞している場合、規制速度程度で走行しつつも短い車間距離で複数の車両が連続して走行する場合には、渋滞であると判定することができる。ジレンマ感応制御手段は、交差点へ向かって走行する車両が所定の危険ゾーンに存在するか否かの判定結果に応じて信号灯器の灯色を切り替えるジレンマ感応制御を行う。
【００２０】
そして、ジレンマ感応制御手段は、流入路の少なくともいずれか一方向が混雑していないと判定した場合に、時差現示を行わないと判定したときは、混雑していない方向の流入路を走行する車両に対してジレンマ感応制御を行う。例えば、対向する流入路の方向を東西方向とした場合に、西方向に混雑がなく、時差現示を行わないときには、混雑していない西方向の流入路を走行する車両に対してジレンマ感応制御を行う。また、ジレンマ感応制御手段は、流入路の少なくともいずれか一方向が混雑していないと判定した場合に、時差現示を行うと判定したときは、時差現示を行う方向の対向方向の流入路を走行する車両に対してジレンマ感応制御を行う。例えば、対向する流入路の方向を東西方向とした場合に、西方向に混雑がなく、東方向に対して時差現示を行うときは、時差現示を行う方向の対向方向（西方向）の流入路を走行する車両に対してジレンマ感応制御を行う。これにより、交差点で対向する流入路の任意の方向に対しての交通需要等に応じて時差現示を行うムーブメント制御と、当該交差点に向かって走行する車両の安全性を確保するジレンマ感応制御とを両立させることができ、渋滞緩和と安全性向上の両者を実現することができる。
【００２１】
第２発明及び第１０発明にあっては、時差現示判定手段は、流入路（道路）の交通情報に基づいて時差現示を行うか否かを判定する。すなわち、時差現示判定手段は、交差点で対向する流入路のそれぞれの方向（交差点へ流入する方向）の交通情報（例えば、交通量、渋滞長、信号待ち台数などの交通需要）に基づいて、対向する流入路のいずれかの方向に対して時差現示を行うか否かを判定する。時差現示は、例えば、交通需要の多い方向の流入路に対して行うと判定することができ、交通需要の多いＥ方向（一方向）の流入路に対して時差現示を行う場合、一方向の対向方向（交通需要の少ない方、例えば、Ｗ方向）の信号灯器の灯色をすべて赤として、Ｗ方向の流入路の車両の進行を停止させた上で、Ｅ方向（直進、左折、右折を含む）の流入路の車両を進行させる。混雑判定手段は、流入路（道路）の交通情報（例えば、交通量、渋滞長、信号待ち台数などの交通需要）に基づいて、流入路が混雑しているか否かを判定する。例えば、車両が停止状態で渋滞又は遅い速度で走行しつつ渋滞している場合、規制速度程度で走行しつつも短い車間距離で複数の車両が連続して走行する場合には、渋滞であると判定することができる。ジレンマ感応制御手段は、交差点へ向かって走行する車両が所定の危険ゾーンに存在するか否かの判定結果に応じて信号灯器の灯色を切り替えるジレンマ感応制御を行う。
【００２２】
そして、ジレンマ感応制御手段は、混雑判定手段で流入路の両方向が混雑していないと判定した場合に、時差現示判定手段で時差現示を行わないと判定したときは、両方向の流入路を走行する車両に対してジレンマ感応制御を行う。対向する流入路の両方向が混雑していないと判定し、かつ時差現示を行わないと判定した場合に、流入路の両方向に対してジレンマ感応制御を行うので、ジレンマ感応制御を有効に実施することができる。
【００２３】
また、ジレンマ感応制御手段は、混雑判定手段で流入路のいずれか一方向が混雑していないと判定した場合に、時差現示判定手段で時差現示を行うと判定したときは、時差現示を行う方向の対向方向の流入路を走行する車両に対してジレンマ感応制御を行う。対向する流入路のずれか一方向が混雑していないと判定し、かつ時差現示を行うと判定した場合に、時差現示を行う方向の対向方向の流入路を走行する車両に対してジレンマ感応制御を行うので、ジレンマ感応制御を有効に実施することができる。
【００２４】
第３発明にあっては、ジレンマ感応制御手段は、時差現示判定手段で時差現示を行うと判定した場合に、時差現示を行う方向の対向方向の信号灯器の青信号の表示時間を短縮する範囲で青信号を切り替える。例えば、対向する流入路の方向を東西方向とした場合に、東方向の流入路に対して時差現示を行うときは、時差現示を行う方向の対向方向（西方向）の流入路の信号灯器の青信号の表示時間を基準青秒数から短縮する範囲で、青信号から、例えば黄色へ切り替える。すなわち、従来のジレンマ感応制御のように青信号の表示時間を基準青秒数から延長又は短縮するのではなく、短縮のみを行うようにするので、時差現示を行う東方向の信号灯器の青信号の表示時間は、ジレンマ感応制御が行われた場合でも短縮されることはなく、時差現示を行う際の時差時間を確実に保証することができる。
【００２５】
第４発明にあっては、ジレンマ感応制御手段は、時差現示判定手段で時差現示を行うと判定した場合に、時差現示を行う方向の信号灯器の青信号の表示時間が所定値以上になるように、時差現示を行う方向の対向方向の信号灯器の青信号を切り替える。例えば、対向する流入路の方向を東西方向とした場合に、東方向の流入路に対して時差現示を行うときは、時差現示を行う方向の信号灯器の青信号（例えば、右折青信号）の表示時間を所定値（例えば、最小表示時間）以上になるように、時差現示を行う方向の対向方向（西方向）の信号灯器の青信号を切り替える。すなわち、時差現示を行う東方向の信号灯器の青信号の表示時間は、ジレンマ感応制御が行われた場合でも所定値以上となるので、時差現示を行う際の時差時間を確実に保証することができる。
【００２６】
第５発明及び第１１発明にあっては、時差現示判定手段は、流入路（道路）の交通情報に基づいて時差現示を行うか否かを判定する。すなわち、時差現示判定手段は、交差点で対向する流入路のそれぞれの方向（交差点へ流入する方向）の交通情報（例えば、交通量、渋滞長、信号待ち台数などの交通需要）に基づいて、対向する流入路のいずれかの方向に対して時差現示を行うか否かを判定する。時差現示は、例えば、交通需要の多い方向の流入路に対して行うと判定することができ、交通需要の多いＥ方向（一方向）の流入路に対して時差現示を行う場合、一方向の対向方向（交通需要の少ない方、例えば、Ｗ方向）の信号灯器の灯色をすべて赤として、Ｗ方向の流入路の車両の進行を停止させた上で、Ｅ方向（直進、左折、右折を含む）の流入路の車両を進行させる。混雑判定手段は、流入路（道路）の交通情報（例えば、交通量、渋滞長、信号待ち台数などの交通需要）に基づいて、流入路が混雑しているか否かを判定する。例えば、車両が停止状態で渋滞又は遅い速度で走行しつつ渋滞している場合、規制速度程度で走行しつつも短い車間距離で複数の車両が連続して走行する場合には、渋滞であると判定することができる。ジレンマ感応制御手段は、交差点へ向かって走行する車両が所定の危険ゾーンに存在するか否かの判定結果に応じて信号灯器の灯色を切り替えるジレンマ感応制御を行う。
【００２７】
そして、ジレンマ感応制御手段は、時差現示を行わないと判定した場合に、流入路の両方向が混雑していないときは、当該両方向の流入路を走行する車両に対してジレンマ感応制御を行う。対向する流入路の両方向が混雑していないと判定し、かつ時差現示を行わないと判定した場合に、流入路の両方向に対してジレンマ感応制御を行うので、ジレンマ感応制御を有効に実施することができるとともに、渋滞緩和と安全性向上の両者を実現することができる。
【００２８】
第６発明にあっては、ジレンマ感応制御手段は、流入路のいずれか一方向が混雑していない場合に、時差現示を行うと判定したときは、ジレンマ感応制御を行わない。例えば、西方向の流入路に混雑がなく東方向の流入路に混雑があり、東方向に対して時差現示を行う場合には、ジレンマ感応制御を行わないことにより、対向する流入路のうち、混雑が生じている流入路が必要とする青時間の確保を優先して、青時間の短縮が行われるおそれのあるジレンマ感応制御を行わないので、混雑が生じている流入路における混雑がさらに助長されることを防止することができる。
【００２９】
第７発明にあっては、ジレンマ感応制御手段は、流入路のいずれか一方向が混雑していない場合は、時差現示を行わないと判定したときは、ジレンマ感応制御を行わない。例えば、西方向の流入路に混雑がなく東方向の流入路に混雑があり、時差現示を行わない場合には、ジレンマ感応制御を行わないことにより、対向する流入路のうち、混雑が生じている流入路が必要とする青時間の確保を優先して、青時間の延長がなされるおそれのあるジレンマ感応制御を行わないので、混雑が生じている流入路における混雑がさらに助長されることを防止することができる。
【００３０】
第８発明にあっては、ジレンマ感応制御手段は、流入路の両方向が混雑している場合は、ジレンマ感応制御を行わない。これにより、効果の期待できないジレンマ感応制御を行わないので、無駄なジレンマ感応制御を行うことを防止することができる。
【発明の効果】
【００３１】
本発明によれば、交差点で対向する流入路の任意の方向に対しての交通需要等に応じて時差現示を行うムーブメント制御と、当該交差点に向かって走行する車両の安全性を確保するジレンマ感応制御とを両立させることができ、渋滞緩和と安全性向上の両者を実現することができる。
【図面の簡単な説明】
【００３２】
【図１】本実施の形態に係る交通信号制御装置の構成の一例を示すブロック図である。
【図２】本実施の形態の交通信号制御装置による信号制御が行われる交差点の一例を示す模式図である。
【図３】本実施の形態の交通信号制御装置による時差現示を行う場合の現示階梯の一例を示す説明図である。
【図４】本実施の形態の交通信号制御装置による時差現示を行う場合の現示階梯の他の例を示す説明図である。
【図５】危険走行領域の概念を示す説明図である。
【図６】本実施の形態の交通信号制御装置によるジレンマ感応制御の実施の様子を示す模式図である。
【図７】本実施の形態の交通信号制御装置によるジレンマ感応制御を行うための条件の一例を示す説明図である。
【図８】本実施の形態の交通信号制御装置によるジレンマ感応制御を行うための条件の他の例を示す説明図である。
【図９】本実施の形態の交通信号制御装置によるジレンマ感応制御を行うための条件の他の例を示す説明図である。
【図１０】本実施の形態の交通信号制御装置による時差現示とジレンマ感応制御による信号切替タイミングの一例を示す説明図である。
【図１１】本実施の形態の交通信号制御装置による時差現示とジレンマ感応制御による信号切替タイミングの他の例を示す説明図である。
【図１２】本実施の形態の交通信号制御装置による処理手順を示すフローチャートである。
【発明を実施するための形態】
【００３３】
以下、本発明に係る交通信号制御装置の実施の形態を示す図面に基づいて説明する。図１は本実施の形態に係る交通信号制御装置１０の構成の一例を示すブロック図である。交通信号制御装置１０は、装置全体を制御するＣＰＵ１１、交通情報取得部１２、車両情報取得部１３、灯色制御部１４、混雑判定手段としての混雑判定部１５、時差現示判定手段としての時差現示判定部１６、ジレンマ感応制御手段としてのジレンマ感応制御部１７などを備える。
【００３４】
本実施の形態の交通信号制御装置１０は、交差点で対向する流入路（交差点に流入する道路）の任意の方向に対しての交通需要等に応じて時差現示を行うムーブメント制御と、当該交差点に向かって走行する車両の安全性を確保するジレンマ感応制御との両立を図るものである。なお、以下の説明では、流入路は、交差点に流入する道路であって交差点の方向へ車両が走行する道路をいう。
【００３５】
交通情報取得部１２は、交差点で対向する流入路の混雑を判定するための及び時差現示を行うか否かを判定するための交通情報を取得する。交通情報は、例えば、交通量、渋滞長、信号待ち台数などの交通需要であり、例えば、流入路の適宜の箇所に設置した光ビーコン、画像式の車両感知器などの路上装置から交通情報を取得することができる。光ビーコン等で収集した車両のアップリンク情報に基づいて、光ビーコン間の旅行時間を算出し、この旅行時間に基づいて、流入路の混雑を判定することができる。また、超音波式の車両感知器等で計測した単位時間当たりの交通量や占有率などに基づいて、渋滞長を推定することもできる。また、流入路の適宜の箇所に設置した画像式の車両感知器で車両を撮像して渋滞長又は信号待ち台数などを計測することもできる。
【００３６】
車両情報取得部１３は、ジレンマ感応制御を行うための情報として、交差点の上流の所定地点（例えば、１５０ｍ、２００ｍ上流地点）に設置した画像式の車両感知器、超音波式の速度感知器（超音波のヘッドが２つ）、またはループコイル式の速度感知器（ループコイルが２つ）等により車両の速度を取得する。
【００３７】
灯色制御部１４は、ＣＰＵ１１の指令に基づいて、交差点に設置された信号灯器へ灯色信号を出力する。これにより、信号灯器の灯色は、所定の順序及び表示時間で切り替わる。
【００３８】
混雑判定部１５は、交通情報取得部１２で取得した交通情報（例えば、交通量、渋滞長、信号待ち台数などの交通需要）に基づいて、交差点で対向する流入路のそれぞれの方向が混雑しているか否かを判定し、判定結果をジレンマ感応制御部１７へ出力する。混雑しているか否かの判定は、例えば、速度が閾値（例えば、２０ｋｍ／ｈ）以上か否か、あるいは、渋滞長が閾値（例えば、２００ｍ）以上であるか否かで行うことができる。
【００３９】
時差現示判定部１６は、交通情報取得部１２で取得した交通情報（例えば、交通量、渋滞長、信号待ち台数などの交通需要）に基づいて、交差点で対向する流入路のいずれか一方向に対して時差現示を行うか否かを判定する。時差現示は、例えば、交通需要の多い方向の流入路に対して行うと判定することができ、交通需要の多いＥ方向（一方向）の流入路に対して時差現示を行う場合、一方向の対向方向（交通需要の少ない方、例えば、Ｗ方向）の信号灯器の灯色をすべて赤として、Ｗ方向の流入路の車両の進行を停止させた上で、Ｅ方向（直進、左折、右折を含む）の流入路の車両を青信号で進行させる。
【００４０】
ジレンマ感応制御部１７は、交差点へ向かって走行する車両が所定の危険ゾーンに存在するか否かの判定結果に応じて信号灯器の灯色を切り替える。
【００４１】
ＣＰＵ１１は、混雑判定部１５での判定結果、及び時差現示判定部１６での判定結果に基づいて、ジレンマ感応制御部１７で行うジレンマ感応制御及び現示表示を行うムーブメント制御の両立を図り、灯色制御部１４へ指令を出力する。なお、詳細は後述する。
【００４２】
図２は本実施の形態の交通信号制御装置１０による信号制御が行われる交差点の一例を示す模式図である。交差点は、４つの流入路が交差し、便宜上交差点で対向する流入路の一方の方向を東方向とし、対向する方向を西方向とする。なお、対向する方向は東西方向に限定されない。東方向の流入路を走行する車両に対する（東方向に対する）信号灯器をＥ灯器と称し、西方向の流入路を走行する車両に対する（西方向に対する）信号灯器をＷ灯器と称する。
【００４３】
Ｅ灯器、Ｗ灯器は、それぞれＧ、Ｙ、Ｒ、左折の青矢、直進の青矢、右折の青矢の各灯色を有する。Ｇは青の灯色を示し、Ｙは黄の灯色を示し、Ｒは赤の灯色を示す。なお、常時左折が許可されるような交差点では、左折の青矢がないので、そのような場合には、直進の青矢に左折の青矢が含まれるものとすることができる。
【００４４】
交差点の上流の所定地点（例えば、１５０ｍ、２００ｍ上流）には、車両の速度を検出することができる画像式の車両感知器、超音波式の速度感知器（超音波のヘッドが２つ）、またはループコイル式の速度感知器（ループコイルが２つ）等の路上装置２０を設置してある。路上装置２０で検出した車両の速度は、交通信号制御装置１０へ送信される。
【００４５】
次に、時差現示について説明する。図３は本実施の形態の交通信号制御装置１０による時差現示を行う場合の現示階梯の一例を示す説明図である。図３の例は、時差現示判定部１６で、例えば、Ｅ方向の流入路の交通需要がＷ方向の流入路の交通需要よりも多いとしてＥ方向に対して時差現示を設定する（すなわち、Ｗ方向の流入路の車両を時差現示の間、全赤で停止させる）場合の例を示す。図３において、二重線は赤信号（Ｒ）を示し、斜線（波線）は黄信号（Ｙ）を示す。また、図３はデュアルリング方式を用いたムーブメント制御の場合を示す。
【００４６】
図３に示すように、リング１がステップ１、リング２がステップ１の場合、Ｅ灯器は、左（左折青）、直（直進青）、Ｒ（赤）が点灯状態となり、Ｗ灯器は、左（左折青）、直（直進青）、Ｒ（赤）が点灯状態となる。すなわち、東西両方向とも、直進と左折が可能となる。
【００４７】
次に、リング１がステップ１、リング２がステップ２の場合、Ｅ灯器は、左（左折青）、直（直進青）、Ｒ（赤）が点灯状態となり、Ｗ灯器は、Ｙ（黄）が点灯状態となる。すなわち、西方向の流入路を走行する車両に対して直進青及び左折青が消灯し、黄信号が点灯する。
【００４８】
次に、リング１がステップ１、リング２がステップ３の場合、Ｅ灯器は、左（左折青）、直（直進青）、Ｒ（赤）が点灯状態となり、Ｗ灯器は、Ｒ（赤）が点灯状態となる。これにより、西方向の流入路での走行を停止させる。
【００４９】
次に、リング１がステップ１、リング２がステップ４の場合、Ｅ灯器は、左（左折青）、直（直進青）、Ｒ（赤）、右（右折青）が点灯状態となり、Ｗ灯器は、Ｒ（赤）が点灯状態となる。このリング１がステップ１、リング２がステップ４の状態が時差現示であり、Ｅ方向の流入路の車両は、左折、直進、右折をすることができ、Ｗ方向の流入路の車両は赤で停止する。
【００５０】
次に、リング１がステップ２、リング２がステップ４の場合、Ｅ灯器は、Ｙ（黄）、右（右折青）が点灯状態となり、Ｗ灯器は、Ｒ（赤）が点灯状態となる。すなわち、東方向の流入路を走行する車両に対して直進青及び左折青が消灯し、黄信号が点灯する。
【００５１】
次に、リング１がステップ３、リング２がステップ４の場合、Ｅ灯器は、Ｒ（赤）、右（右折青）が点灯状態となり、Ｗ灯器は、Ｒ（赤）が点灯状態となる。これにより、東方向の流入路での直進及び左折走行を停止させる。
【００５２】
次に、リング１がステップ４、リング２がステップ４の場合、Ｅ灯器は、Ｒ（赤）、右（右折青）が点灯状態となり、Ｗ灯器は、Ｒ（赤）、右（右折青）が点灯状態となる。すなわち、東西両方向の流入路とも右折走行をさせる。
【００５３】
次に、リング１がステップ５、リング２がステップ５の場合、Ｅ灯器は、Ｙ（黄）が点灯状態となり、Ｗ灯器は、Ｙ（黄）が点灯状態となる。
【００５４】
次に、リング１がステップ６、リング２がステップ６の場合、Ｅ灯器は、Ｒ（赤）が点灯状態となり、Ｗ灯器は、Ｒ（赤）が点灯状態となる。これにより、東西方向の流入路の車両をすべて停止させる。以降は、例えば、南北方向の流入路に対して同様の灯色制御を行い、同様の点灯制御を繰り返す。
【００５５】
図３に示すような時差現示は、信号サイクルの毎サイクルで交通需要等の変化に応じて、例えば、交通需要の多い方向の流入路に対して行われる。なお、サイクル毎の時差現示を実現するムーブメント制御（可変フェーズ制御、可変現示制御ともいう）は、例えば、デュアルリング方式、現示頁選択方式などを用いることができる。デュアルリング方式を用いたムーブメント制御に限定されるものではなく、現示ページ選択方式を用いたムーブメント制御を用いてもよい。
【００５６】
図４は本実施の形態の交通信号制御装置１０による時差現示を行う場合の現示階梯の他の例を示す説明図である。図４の例は、現示頁選択方式（現示ページ選択方式）を用いたムーブメント制御の場合の例を示す。なお、各階梯の順序は図３の例と同様であるので説明は省略する。
【００５７】
次に、ジレンマ感応制御について説明する。ジレンマ感応制御では、交差点に向かって走行する車両に対する信号灯器の青信号を打ち切った場合（黄信号に切り替えた場合）、当該車両が、いわゆる危険走行領域にあるか否かを判定し、当該車両が危険走行領域に入らないように信号灯器の青信号を打ち切るべく制御するものである。
【００５８】
図５は危険走行領域の概念を示す説明図である。図中、横軸は交差点(例えば、停止線位置)からの距離を示し、縦軸は車両の速度を示す。危険走行領域は、車両が危険走行状態である（危険走行領域内にある）ことを車両の速度と交差点までの距離とにより表すことができる領域である。危険走行領域は、ジレンマ領域とオプション領域とを含む。ジレンマ領域は、車両が黄信号表示後に停止しようとしても交差点の手前に停止できず、かつ黄信号の終了時点までに交差点に進入できない状態であり安全に停止又は進入できない状態である。また、オプション領域は、車両が黄信号表示後に停止しようとして交差点の手前に停止でき、かつ黄信号の終了時点までに交差点に進入できる状態であり、運転者の特性により車両が停止するのか又は進入するのかが異なる不安定な状態である。
【００５９】
図５において、交差点を基準とした車両の現在位置をＸ、現在速度をＶ、黄信号開始となるまでの時間をｔ（０＜ｔ＜信号周期）とする。黄信号開始時刻での車両の位置Ｘｙは、車両の速度が変化しないとすれば（Ｖｙ＝Ｖ）、ｔ＝（Ｘ−Ｘｙ）／Ｖ（式１）で求めることができる。式１は、現在の車両の走行状態に基づいた判定条件Ｅである。車両の現在位置Ｘは、例えば、車両を感知する車両感知器の位置とすることができる。
【００６０】
一方、車両が交差点の手前で安全に停止し、信号待ちになる停止条件Ｃは、Ｖ2 ≦２×ｇ×（Ｘｙ−α×Ｖ）で求められる（式２）。ここで、ｇは、車両の標準減速度であり、αは黄信号になってから運転者がブレーキを踏むまでの時間遅れである。すなわち、停止条件Ｃは、黄信号開始時に車両が標準減速度で減速したならば、車両が交差点で停止することができる車両の速度と交差点までの距離の限界を示す曲線である。
【００６１】
車両が黄信号の終了時点で交差点に進入し、交差点への進入条件Ｌは、Ｖ×Ｔｙ≧Ｘｙで求められる（式３）。ここで、Ｔｙは黄信号時間である。すなわち、進入条件Ｌは、車両が走行中に黄信号になった場合、その黄信号時間内（赤信号になる前）に交差点まで到達することができる車両の速度と交差点までの距離の限界を示す直線である。
【００６２】
図中、式２曲線の下側の領域は交差点停止領域であり、交差点手前に安全に停止することができる領域である。式３直線の上側の領域は交差点通過領域であり、安全に交差点に進入（通過）することができる領域である。ジレンマ領域は、式２及び式３の両者とも満足しない領域（停止できないし、進入もできない領域）であり、オプション領域は式２及び式３の両者とも満足する領域（停止できるし、進入もできる領域）である。
【００６３】
ジレンマ感応制御は、所定の危険ゾーン（例えば、図５で示す危険走行領域）に車両が存在しない場合には、青信号を打ち切り、車両が危険ゾーンに存在する場合には、車両が危険ゾーンに存在しなくなるまで青信号を延長する。
【００６４】
図６は本実施の形態の交通信号制御装置１０によるジレンマ感応制御の実施の様子を示す模式図である。ジレンマ感応制御は、信号灯器の青信号を打ち切って黄信号に切り替えるので、ジレンマ感応制御の実施の可否の判定は、黄信号への切替時点よりもジレンマ感応判定に要する時間だけ早い時点又は当該時点より前のタイミングで行われる。
【００６５】
図６Ａは、今の時点で青信号を打ち切った場合（黄信号に切り替えた場合）、車両Ｃ１は安全に交差点に進入することができ、車両Ｃ３は安全に交差点手前で停止することができる位置にあるものの、車両Ｃ２は、ジレンマ領域に位置すると判定された場合を示す。この場合には、ジレンマ領域内にある車両が存在するので、ジレンマ感応制御部１７は、青信号の打ち切りを実施しない。
【００６６】
図６Ｂは、今の時点で青信号を打ち切った場合（黄信号に切り替えた場合）、車両Ｃ４は安全に交差点手前で停止することができる位置にあると判定された場合を示す。この場合には、ジレンマ領域内にある車両が存在しないので、ジレンマ感応制御部１７は、青信号を打ち切る。
【００６７】
次に、ムーブメント制御（時差現示）とジレンマ感応制御との両立を図る方法について説明する。上述のように、ＣＰＵ１１は、混雑判定部１５での判定結果、及び時差現示判定部１６での判定結果（ジレンマ感応制御を行うための条件）に基づいて、ジレンマ感応制御部１７で行うジレンマ感応制御の実施を制御する。
【００６８】
図７は本実施の形態の交通信号制御装置１０によるジレンマ感応制御を行うための条件の一例を示す説明図である。なお、図７の例では、交差点で対向する流入路を東西方向としているが、これに限定されるものではない。
【００６９】
図７に示すように、時差現示判定部１６で時差現示をしないと判定した場合に、混雑判定部１５で東西両方向の流入路に混雑なしと判定されたとき、ジレンマ感応制御部１７は、東西両方向の流入路を走行する車両に対してジレンマ感応制御を行う。すなわち、対向する流入路の両方向が混雑していないと判定し、かつ時差現示を行わないと判定した場合に、両方向の流入路に対してジレンマ感応制御を行うので、ジレンマ感応制御を有効に実施することができるとともに、渋滞緩和と安全性向上の両者を実現することができる。
【００７０】
また、時差現示判定部１６で時差現示をしないと判定した場合に、混雑判定部１５で西方向の流入路に混雑ありと判定されたとき、ジレンマ感応制御部１７は、混雑していない方向の流入路を走行する車両に対してジレンマ感応制御を行う。同様に、時差現示判定部１６で時差現示をしないと判定した場合に、混雑判定部１５で東方向の流入路に混雑ありと判定されたとき、ジレンマ感応制御部１７は、混雑していない方向の流入路を走行する車両に対してジレンマ感応制御を行う。これにより、交差点で対向する流入路の任意の方向に対しての交通需要等に応じて時差現示を行うムーブメント制御と、当該交差点に向かって走行する車両の安全性を確保するジレンマ感応制御とを両立させることができ、渋滞緩和と安全性向上の両者を実現することができる。
【００７１】
また、時差現示判定部１６で西方向の流入路に対して時差現示をすると判定した場合に、混雑判定部１５で西方向の流入路に混雑ありと判定されたとき、ジレンマ感応制御部１７は、時差現示を行う方向の対向方向の流入路を走行する車両に対してジレンマ感応制御を行う。同様に、時差現示判定部１６で東方向の流入路に対して時差現示をすると判定した場合に、混雑判定部１５で東方向の流入路に混雑ありと判定されたとき、ジレンマ感応制御部１７は、時差現示を行う方向の対向方向の流入路を走行する車両に対してジレンマ感応制御を行う。これにより、交差点で対向する流入路の任意の方向に対しての交通需要等に応じて時差現示を行うムーブメント制御と、当該交差点に向かって走行する車両の安全性を確保するジレンマ感応制御とを両立させることができ、渋滞緩和と安全性向上の両者を実現することができる。
【００７２】
また、混雑判定部１５で東西両方向の流入路に混雑ありと判定した場合には、時差現示判定部１６での判定結果にかかわらず、ジレンマ感応制御部１７は、ジレンマ感応制御を行わない。これにより、ジレンマ感応制御による効果が期待できない場合に、ジレンマ感応制御が行われることを抑制し、無駄な労力が費やされることを防止することができる。
【００７３】
図８は本実施の形態の交通信号制御装置１０によるジレンマ感応制御を行うための条件の他の例を示す説明図である。図７の例との違いは、時差現示をしない場合に、西方向の流入路に混雑があるときは、ジレンマ感応制御を行わない点、同様に時差現示をしない場合に、東方向の流入路に混雑があるときは、ジレンマ感応制御を行わない点である。これにより、対向する流入路のうち、混雑が生じている流入路が必要とする青時間の確保を優先して、青時間の短縮が行われるおそれのあるジレンマ感応制御を行わないので、混雑が生じている流入路における混雑がさらに助長されることを防止することができる。
【００７４】
図９は本実施の形態の交通信号制御装置１０によるジレンマ感応制御を行うための条件の他の例を示す説明図である。図８の例との違いは、西方向の流入路に対して時差現示をする場合に、西方向の流入路に混雑があるときは、ジレンマ感応制御を行わない点、同様に東方向の流入路に対して時差現示をする場合に、東方向の流入路に混雑があるときは、ジレンマ感応制御を行わない点である。これにより、対向する流入路のうち、混雑が生じている流入路が必要とする青時間の確保を優先して、青時間の延長がなされるおそれのあるジレンマ感応制御を行わないので、混雑が生じている流入路における混雑がさらに助長されることを防止することができる。
【００７５】
次に、時差現示が行われる場合にジレンマ感応制御による青信号の打ち切りタイミング（黄信号への切り替えタイミング）について説明する。図１０は本実施の形態の交通信号制御装置１０による時差現示とジレンマ感応制御による信号切替タイミングの一例を示す説明図である。図１０Ａは、図３で示す時差現示を行う場合の現示階梯の一部（青信号の部分）に対応する東西方向の流れ図を示す。図１０において、右方向の矢印はＥ方向（東方向）の流れ図を示し、左方向の矢印はＷ方向（西方向）の流れ図を示す。
【００７６】
図１０Ａに示すように、時間Ｔ１の間では、Ｅ方向及びＷ方向ともに直進青及び左折青が点灯し、車両は直進と左折が可能である。時間Ｔ２では、Ｗ方向の車両は赤信号で停止となり、Ｅ方向は直進青、左折青に加えて右折青が点灯し、車両は直進、左折、右折が可能である。時間Ｔ２がＥ方向に対する時差現示の時間となる。また、時間Ｔ３では、Ｅ方向の右折青とＷ方向の右折青とが点灯し、Ｅ方向及びＷ方向とも右折車のみ走行可能である。
【００７７】
図１０Ａで示すようにＥ方向（東方向）の流入路に対して時差現示が行われる場合に、ジレンマ感応制御を行うときには、図６に示すように、Ｗ方向（西方向）の流入路を走行する車両に対してジレンマ感応制御を行うことになる。
【００７８】
図１０Ｂに示すように、Ｗ方向の流入路を走行する車両に対するジレンマ感応制御では、時差現示を行う方向（Ｅ方向）の対向方向（Ｗ方向）の信号灯器の青信号の表示時間を短縮する範囲で青信号を切り替える。例えば、対向する流入路の方向を東西方向とした場合に、東方向の流入路に対して時差現示を行うときは、時差現示を行う方向の対向方向（西方向）の信号灯器の青信号の表示時間を基準青秒数から短縮する範囲で、青信号から、例えば黄色へ切り替える。図１０の例では、Ｗ方向の青信号の表示時間Ｔ１がＴ４に短縮されている。すなわち、従来のジレンマ感応制御のように青信号の表示時間を基準青秒数から延長又は短縮するのではなく、短縮のみを行うようにするので、時差現示を行う東方向の信号灯器の青信号の表示時間は、ジレンマ感応制御が行われた場合でも短縮されることはなく、時差現示を行う際の時差時間を確実に保証することができる。
【００７９】
図１１は本実施の形態の交通信号制御装置１０による時差現示とジレンマ感応制御による信号切替タイミングの他の例を示す説明図である。図１１の例では、ジレンマ感応制御部１７は、時差現示を行うと判定した場合に、時差現示を行う方向の信号灯器の青信号の表示時間が所定値以上になるように、時差現示を行う方向の対向方向の信号灯器の青信号を切り替える。図１１Ａは、図１０Ａと同様に、図３で示す時差現示を行う場合の現示階梯の一部（青信号の部分）に対応する東西方向の流れ図を示す。図１１において、右方向の矢印はＥ方向（東方向）の流れ図を示し、左方向の矢印はＷ方向（西方向）の流れ図を示す。
【００８０】
図１１Ａに示すように、時間Ｔ１の間では、Ｅ方向及びＷ方向ともに直進青及び左折青が点灯し、車両は直進と左折が可能である。時間Ｔ２では、Ｗ方向の車両は赤信号で停止となり、Ｅ方向は直進青、左折青に加えて右折青が点灯し、車両は直進、左折、右折が可能である。時間Ｔ２がＥ方向に対する時差現示の時間となる。また、時間Ｔ３では、Ｅ方向の右折青とＷ方向の右折青とが点灯し、Ｅ方向及びＷ方向とも右折車のみ走行可能である。図１１Ａにおいて、時間Ｔ２より短い時間を所定値（例えば、最小表示時間）としている。
【００８１】
図１１Ａで示すようにＥ方向（東方向）の流入路に対して時差現示が行われる場合に、ジレンマ感応制御を行うときには、図６に示すように、Ｗ方向（西方向）の流入路を走行する車両に対してジレンマ感応制御を行うことになる。
【００８２】
図１１Ｂに示すように、対向する流入路の方向を東西方向とした場合に、東方向の流入路に対して時差現示を行うときは、時差現示を行う方向の信号灯器の青信号（例えば、右折青信号）の表示時間を所定値（例えば、最小表示時間）以上になるように、時差現示を行う方向の対向方向（西方向）の信号灯器の青信号を切り替える。図１１の例では、時差現示を行う方向の信号灯器の青信号（例えば、右折青信号）の表示時間Ｔ８が所定値より短くならない様子を示している。図１１Ｂに示すように、ジレンマ感応制御を行って青信号の表示時間を延長したときでも、時差現示を行う際の時差時間はＴ２からＴ８（所定値以上）となるので、最小表示時間以上の時差現示を行うことができる。すなわち、時差現示を行う東方向の信号灯器の青信号の表示時間は、ジレンマ感応制御が行われた場合でも所定値以上となるので、時差現示を行う際の時差時間を確実に保証することができる。
【００８３】
次に、本実施の形態の交通信号制御装置１０の動作について説明する。図１２は本実施の形態の交通信号制御装置１０による処理手順を示すフローチャートである。ＣＰＵ１１は、交通情報を取得し（Ｓ１１）、交差点で対向する流入路の一方向で混雑があるか否かを判定する（Ｓ１２）。
【００８４】
流入路の一方向で混雑があると判定した場合（Ｓ１２でＹＥＳ）、ＣＰＵ１１は、時差現示があるか否かを判定する（Ｓ１３）。時差現示があると判定した場合（Ｓ１３でＹＥＳ）、ＣＰＵ１１は、時差現示を行う方向の対向方向の流入路を走行する車両に対してジレンマ感応制御を行い（Ｓ１４）、処理を終了する。なお、ジレンマ感応制御は、危険走行領域に車両が存在しないか否かを判定し、危険走行領域に車両が存在しないように青信号の打ち切りを決定する。
【００８５】
時差現示がない場合（Ｓ１３でＮＯ）、ＣＰＵ１１は、混雑していない方向の流入路を走行する車両に対してジレンマ感応制御を行い（Ｓ１５）、処理を終了する。なお、ジレンマ感応制御は、危険走行領域に車両が存在しないか否かを判定し、危険走行領域に車両が存在しないように青信号の打ち切りを決定する。
【００８６】
対向する流入路の一方向で混雑がない場合（Ｓ１２でＮＯ）、ＣＰＵ１１は、両方向の流入路で混雑があるか否かを判定し（Ｓ１６）、両方向の流入路で混雑がない場合（Ｓ１６でＮＯ）、時差現示があるか否かを判定する（Ｓ１７）。
【００８７】
時差現示がない場合（Ｓ１７でＮＯ）、ＣＰＵ１１は、両方向の流入路を走行する車両に対してジレンマ感応制御を行い（Ｓ１８）、処理を終了する。なお、ジレンマ感応制御は、危険走行領域に車両が存在しないか否かを判定し、危険走行領域に車両が存在しないように青信号の打ち切りを決定する。
【００８８】
両方向の流入路で混雑がある場合（Ｓ１６でＹＥＳ）、あるいは時差現示がある場合（Ｓ１７でＹＥＳ）、ＣＰＵ１１は、ジレンマ感応制御を行わず（Ｓ１９）、処理を終了する。
【００８９】
上述の実施の形態の交通信号制御装置１０は、交通信号制御機でもよく、交通信号制御機を制御する制御装置又は上位装置等であってもよい。
【００９０】
上述の実施の形態では、流入路の対向する方向を、それぞれＥ方向、Ｗ方向として説明したが、これに限定するものではない。また、交差点は、十字状に交差するものに限定されるものではなく、三叉路、五叉路など、時差現示を行い得る交差点であればどのような構造の交差点においても本実施の形態の交通信号制御装置１０を用いることができる。
【００９１】
開示された実施の形態は、すべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【符号の説明】
【００９２】
１１  ＣＰＵ
１２  交通情報取得部
１３  車両情報取得部
１４  灯色制御部
１５  混雑判定部（混雑判定手段）
１６  時差現示判定部（時差現示判定手段）
１７  ジレンマ感応制御部（ジレンマ感応制御手段）
【図１】
0005716357.tif 000002
【図２】
0005716357.tif 000003
【図３】
0005716357.tif 000004
【図４】
0005716357.tif 000005
【図５】
0005716357.tif 000006
【図６】
0005716357.tif 000007
【図７】
0005716357.tif 000008
【図８】
0005716357.tif 000009
【図９】
0005716357.tif 000010
【図１０】
0005716357.tif 000011
【図１１】
0005716357.tif 000012
【図１２】
0005716357.tif 000013